(57)【特許請求の範囲】
【請求項１】
位置基盤データの検索に必要なグラフィック情報を提供するＳＯＩグラフィック提供部と、
前記ＳＯＩグラフィック提供部から提供されるグラフィック情報を用いて空間地点（ＳＯＩ：Ｓｐａｃｅ  Ｏｆ  Ｉｎｔｅｒｅｓｔ）を単位に構造的に連結されたＳＯＩ情報を生成し、前記生成されたＳＯＩ情報と前記ＳＯＩ情報に相応するデータ情報とがマッチングされた位置基盤データを生成するＳＯＩ処理部と、
前記ＳＯＩ処理部で生成された位置基盤データを管理する位置基盤データ処理部とを含む、ユーザーに位置基盤データをサービスする装置において、
前記構造的に連結されたＳＯＩ情報は、垂直構造、水平構造及び層位構造のうち少なくとも１つ以上の構造が組み合わされたＳＯＩ情報であり、
前記位置基盤データをサービスする装置は、
ユーザーが提供される地図情報上で検索を望む位置情報を選択する手段と、
選択された位置情報に対応するＳＯＩが選択され当該ＳＯＩ情報に対する検索が進められる手段と、
選択されたＳＯＩが最も下位のＳＯＩの場合、当該ＳＯＩ等にマッチングされる位置基盤データを抽出する手段と、
位置基盤データ情報を提供する手段と、
を含むことを特徴とする位置基盤データサービス装置。  
【請求項２】
前記ＳＯＩ処理部は、
前記グラフィック情報を用いて位置基盤データの生成のための位置情報及び形状情報を
生成することを特徴とする請求項１に記載の位置基盤データサービス装置。
【請求項３】
前記ＳＯＩ処理部は、
前記ＳＯＩ情報に対する識別子情報を生成し、前記ＳＯＩ情報を管理することを特徴と
する請求項１に記載の位置基盤データサービス装置。
【請求項４】
前記構造的に連結されたＳＯＩ情報は、
１つのＳＯＩ内に少なくとも１つの下位ＳＯＩが位置されるよう、ＳＯＩが垂直構造に
連結されたＳＯＩ情報であることを特徴とする請求項１に記載の位置基盤データサービス
装置。
【請求項５】
前記構造的に連結されたＳＯＩ情報は、
ＳＯＩが互いに水平に位置されるよう、ＳＯＩが水平構造に連結されたＳＯＩ情報であ
ることを特徴とする請求項１に記載の位置基盤データサービス装置。
【請求項６】
前記構造的に連結されたＳＯＩ情報は、
１つのＳＯＩ内に複数のＳＯＩが層をなすよう、ＳＯＩが層位構造で連結されたＳＯＩ
情報であることを特徴とする請求項１に記載の位置基盤データサービス装置。
【請求項７】
前記構造は点、線、領域情報及び建物情報のうち少なくとも１つの情報を含む構造であ
ることを特徴とする請求項１に記載の位置基盤データサービス装置。
【請求項８】
前記ＳＯＩ情報を格納するＳＯＩ情報格納部及び前記データ情報を格納するデータ格納部を
さらに含み、前記位置基盤データ処理部は、前記ＳＯＩ情報及びデータ情報を分離して管
理することを特徴とする請求項１に記載の位置基盤データサービス装置。
【請求項９】
前記ＳＯＩグラフィック提供部で提供するグラフィック情報に基づきＳＯＩ情報又はデ
ータ情報選択ウィンドーをユーザーへ提供し、前記提供されたＳＯＩ情報又はデータ情報
の中から選択された情報に対する要請を処理するＳＯＩ選択部をさらに含むことを特徴と
する請求項１に記載の位置基盤データサービス装置。
【請求項１０】
前記ＳＯＩ選択部の要請に応答し、前記位置基盤データ処理部に当該ＳＯＩ情報又は当
該データ情報に対応する位置基盤データの抽出を要請するＳＯＩ情報検索部をさらに含むこ
とを特徴とする請求項９に記載の位置基盤データサービス装置。
【請求項１１】
前記位置基盤データ処理部は、前記ＳＯＩ情報が変更される場合、前記ＳＯＩ情報及び
データ情報の変更履歴を管理し、前記ＳＯＩ情報に対応する位置基盤データを時間変更に
伴い累積管理することを特徴とする請求項１に記載の位置基盤データサービス装置。
【請求項１２】
垂直構造、水平構造及び層位構造のうち少なくとも１つの構造を有するよう、空間地点の単位に生成された位置情報、形状情報及びＳＯＩ識別子情報を用いてＳＯＩ情報を生成し、前記ＳＯＩ情報及び前記ＳＯＩ情報に対応するデータ情報をマッチングして位置基盤データを生成するＳＯＩ処理部を含む位置基盤データサービス装置において、
前記ＳＯＩ処理部は、
前記垂直構造、水平構造及び層位構造のうち少なくとも１つの構造を有するようＳＯＩ情報を生成するＳＯＩ情報生成部と、
前記データ情報を収集するデータ収集部と、
前記ＳＯＩ情報及び前記データ情報をマッチングする位置基盤データ生成部と
を含み、
前記位置基盤データサービス装置は、
ユーザーが提供される地図情報上で検索を望む位置情報を選択する手段と、
選択された位置情報に対応するＳＯＩが選択され当該ＳＯＩ情報に対する検索が進められる手段と、
選択されたＳＯＩが最も下位のＳＯＩの場合、当該ＳＯＩ等にマッチングされる位置基盤データを抽出する手段と、
位置基盤データ情報を提供する手段と、
を含むことを特徴とする位置基盤データサービス装置。
【請求項１３】
前記ＳＯＩ情報生成部は、
前記垂直構造、水平構造及び層位構造のうち少なくとも１つの構造を有する
よう、空間地点の単位で前記位置情報を生成する位置情報生成部と、
前記位置情報内にグラフィック情報を形成する形状情報生成部と、
前記位置情報及び形状情報に対応するＳＯＩ識別子情報を生成する識別子情報生成部と
を含むことを特徴とする請求項１２に記載の位置基盤データサービス装置。
【請求項１４】
前記位置情報生成部は、
１つのＳＯＩ内に少なくとも１つの下位ＳＯＩが位置するよう、ＳＯＩを垂直構造で生
成する垂直構造生成部と、
ＳＯＩが互いに水平に位置するよう、ＳＯＩを水平構造で生成する水平構造生成部と、
１つのＳＯＩ内に複数のＳＯＩが層をなすよう、ＳＯＩを層位構造で生成する層位構造
生成部と
を含むことを特徴とする請求項１２に記載の位置基盤データサービス装置。
【請求項１５】
前記ＳＯＩ情報生成部のＳＯＩ情報を修正し、前記修正されたＳＯＩ情報の変更履歴を
管理するＳＯＩ情報変更部をさらに含むことを特徴とする請求項１２に記載の位置基盤デ
ータサービス装置。
【請求項１６】
前記構造は点、線、領域情報及び建物情報のうち少なくとも１つの情報を含む構造であ
ることを特徴とする請求項１２に記載の位置基盤データサービス装置。
【請求項１７】
位置基盤データの検索に必要なグラフィック情報を提供するＳＯＩグラフィック提供部と、
前記ＳＯＩグラフィック提供部から提供されるグラフィック情報を用いて空間地点（ＳＯＩ：Ｓｐａｃｅ  Ｏｆ  Ｉｎｔｅｒｅｓｔ）を単位に構造的に連結されたＳＯＩ情報を生成し、前記生成されたＳＯＩ情報と前記ＳＯＩ情報に相応するデータ情報とがマッチングされた位置基盤データを生成するＳＯＩ処理部と、
前記ＳＯＩ処理部で生成された位置基盤データを管理する位置基盤データ処理部と、
を含む位置基盤データサービス装置において、
前記ＳＯＩ処理部が、
空間地点を単位に垂直構造、水平構造及び層位構造のうち少なくとも１つの構造を有するようＳＯＩ情報を生成するステップと、
前記ＳＯＩ情報と前記ＳＯＩ情報に対応するデータ情報とをマッチングして位置基盤データを生成するステップと、
前記位置基盤データ処理部が、前記位置基盤データに含まれたＳＯＩ情報及びデータ情報を格納するステップと
を含み、
前記位置基盤データサービス装置が、
ユーザーが提供される地図情報上で検索を望む位置情報を選択するステップと、
選択された位置情報に対応するＳＯＩが選択され当該ＳＯＩ情報に対する検索が進められるステップと、
選択されたＳＯＩが最も下位のＳＯＩの場合、当該ＳＯＩ等にマッチングされる位置基盤データを抽出するステップと、
位置基盤データ情報を抽出するステップと。
を含むことを特徴とする位置基盤データサービス方法。
【請求項１８】
前記ＳＯＩ処理部が前記ＳＯＩ情報を生成するステップは、
空間地点を単位に前記垂直構造、水平構造及び層位構造のうち少なくとも１
つの構造を有する位置情報、及び前記位置情報に対する形状情報を生成するステップと、
前記位置情報及び形状情報に対応するＳＯＩ識別子情報を生成するステップと
を含むことを特徴とする請求項１７に記載の位置基盤データサービス方法。
【請求項１９】
前記ＳＯＩ処理部が前記ＳＯＩ情報及びデータ情報を格納するステップは、
前記ＳＯＩ情報及びデータ情報を分離して格納することを特徴とする請求項１７に記載
の位置基盤データサービス方法。
【請求項２０】
前記垂直構造は１つのＳＯＩ内に少なくとも１つの下位ＳＯＩが位置する構造であり、
前記水平構造はＳＯＩが互いに水平に位置する構造であり、前記層位構造は１つのＳＯＩ
内に複数のＳＯＩが層をなす構造であることを特徴とする請求項１７に記載の位置基盤デ
ータサービス方法。
【請求項２１】
ＳＯＩ情報選択部が、ユーザーが入力したＳＯＩ選択情報又はデータ選択情報を受信するステップと、
ＳＯＩ情報検索部が前記ＳＯＩ選択情報、又はデータ選択情報に対応するＳＯＩ情報を検索するステップと、
位置基盤データ処理部が前記ＳＯＩ情報に伴う位置基盤データを抽出するステップと、
ＳＯＩグラフィック提供部が前記抽出した位置基盤データを前記ユーザーへ提供するステップと、
を含む位置基盤データサービス方法において、
前記ＳＯＩ情報検索部が、前記ＳＯＩ情報を検索するステップは、
空間地点を単位に垂直構造、水平構造及び層位構造のうち少なくとも１つの構造体で形成されたＳＯＩ情報のうち、前記ＳＯＩ選択情報、又はデータ選択情報に対応するＳＯＩ情報を検索し、
さらに、
ユーザーが提供される地図情報上で検索を望む位置情報を選択すステップと、
選択された位置情報に対応するＳＯＩが選択され当該ＳＯＩ情報に対する検索が進められるステップと、
選択されたＳＯＩが最も下位のＳＯＩの場合、当該ＳＯＩ等にマッチングされる位置基盤データを抽出するステップと、
位置基盤データ情報を抽出するステップと、
を含むことを特徴とする位置基盤データサービス方法。    
【請求項２２】
前記ＳＯＩ情報選択部が前記ＳＯＩ選択情報又はデータ選択情報を受信するステップは
、
前記ＳＯＩのうち最も下位のＳＯＩまで前記ユーザーへ提供し、前記最も下位のＳＯＩ
又は前記最も下位のＳＯＩに対応するデータを前記ユーザーへ提供するステップを含むこ
とを特徴とする請求項２１に記載の位置基盤データサービス方法。
【請求項２３】
前記垂直構造は１つのＳＯＩ内に少なくとも１つの下位ＳＯＩが位置する構造であり、
前記水平構造はＳＯＩが互いに水平的に位置する構造であり、前記層位構造は１つのＳＯ
Ｉ内に複数のＳＯＩが層をなす構造であることを特徴とする請求項２１に記載の位置基盤
データサービス方法。
【発明の詳細な説明】
【技術分野】
【０００１】
本発明は、位置基盤データサービス装置及び方法に係り、より詳しくは、関心空間を中心に位置基盤データサービスを提供する位置基盤データサービス装置及び方法に関する。
【背景技術】
【０００２】
一般に、従来の技術の位置基盤データサービスは、地図情報に含まれた所定の地点に座標（Ｘ、Ｙ）を設定し、設定された座標による一対一方式でマッチングされたデータを提供する技術が用いられている。前記所定の地点は、ユーザーの関心対象になり得る商号又は名称を意味し、前記設定された座標は、関心地点（ＰＯＩ：Ｐｏｉｎｔ  Ｏｆ  Ｉｎｔｅｒｅｓｔ）情報に連結されユーザーが望むデータを提供する。
図１及び図２は、従来の技術に係る位置基盤データサービス方法を示す図であり、図１及び図２を参考にしながら従来の技術に対し簡単に説明する。
【０００３】
図１に示すように、従来の技術の位置基盤データサービスは、ユーザーが特定の領域を選択すれば、選択した領域の地図情報が提供され、次いで地図情報上の所定の地点を選択すれば、所定地点に連結された関心地点情報が提供され、提供された関心地点情報から所望の位置基盤データを選択すれば当該データが提供される方法が用いられる。
さらに、図２に示すように、従来の技術の位置基盤データサービスは、別の方式としてユーザーが特定の領域を選択すれば、選択した領域の地図情報が提供され、次いで地図情報上の所定の地点を選択すれば検索ウィンドーが提供され、単語の検索を介し所望の位置基盤データがデータベースから抽出して提供される方法が用いられる。
【０００４】
前述の従来の技術によれば、地点（座標）中心に一対一でマッチングされているデータを管理するため、同一の位置に複数の位置基盤データが必要な場合、各データ数の複数のマッチング座標が必要になってユーザーの正確なデータの選択が困難であり、所望の位置に対する情報以外に同じ内容を意味するデータの位置が何カ所か表現され混乱を引き起こすことがあり、特定の場所の検索において、データの内容と位置座標を互いに対照してみなければならないなど不要な時間を要する問題が発生していた。
【０００５】
さらに、従来の技術によれば、同一位置を意味する多様な位置基盤データは、電子地図上でレイヤ別に分類された別のデータベースに格納されるため別の資源が必要となり、座標情報であるＰＯＩ情報などは累積して管理されないので、地図情報を新規にアップデートする場合、既存の位置基盤コンテンツと変更された新規のＰＯＩ情報が互いに一致しているのか一々対照してみなければならない問題が発生する。
【発明の概要】
【発明が解決しようとする課題】
【０００６】
本発明は、前述の問題点を解決するためになされたものであって、ユーザーが望む多様な位置基盤データを速やかに時間内で正確に提供することができる位置基盤データサービス装置及び方法を提供することを目的とする。
また、本発明は、位置基盤データを空間構造で分類、管理してユーザーの検索の便宜性及び検索正確性を向上させる位置基盤データサービス装置及び方法を提供することを目的とする。
さらに、本発明は、運用者は勿論、ユーザーが位置基盤データを時空間構造で管理することができるインタフェースを提供し、位置基盤データの活用性を高める位置基盤データサービス装置及び方法を提供することを目的とする。
【課題を解決するための手段】
【０００７】
本発明は、位置基盤データの検索に必要なグラフィック情報を提供するＳＯＩグラフィック提供部と、
前記ＳＯＩグラフィック提供部から提供されるグラフィック情報を用いて空間地点（ＳＯＩ：Ｓｐａｃｅ  Ｏｆ  Ｉｎｔｅｒｅｓｔ）を単位に構造的に連結されたＳＯＩ情報を生成し、前記生成されたＳＯＩ情報と前記ＳＯＩ情報に相応するデータ情報とがマッチングされた位置基盤データを生成するＳＯＩ処理部と、
前記ＳＯＩ処理部で生成された位置基盤データを管理する位置基盤データ処理部とを含む、ユーザーに位置基盤データをサービスする装置において、
前記構造的に連結されたＳＯＩ情報は、垂直構造、水平構造及び層位構造のうち少なくとも１つ以上の構造が組み合わされたＳＯＩ情報であり、
前記位置基盤データをサービスする装置は、
ユーザーが提供される地図情報上で検索を望む位置情報を選択する手段と、
選択された位置情報に対応するＳＯＩが選択され当該ＳＯＩ情報に対する検索が進められる手段と、
選択されたＳＯＩが最も下位のＳＯＩの場合、当該ＳＯＩ等にマッチングされる位置基盤データを抽出する手段と、
位置基盤データ情報を提供する手段と、
を含むことを特徴とする。  
【０００８】
また、本発明は、垂直構造、水平構造及び層位構造のうち少なくとも１つの構造を有するよう、空間地点の単位に生成された位置情報、形状情報及びＳＯＩ識別子情報を用いてＳＯＩ情報を生成し、前記ＳＯＩ情報及び前記ＳＯＩ情報に対応するデータ情報をマッチングして位置基盤データを生成するＳＯＩ処理部を含む位置基盤データサービス装置において、
前記ＳＯＩ処理部は、
前記垂直構造、水平構造及び層位構造のうち少なくとも１つの構造を有するようＳＯＩ情報を生成するＳＯＩ情報生成部と、
前記データ情報を収集するデータ収集部と、
前記ＳＯＩ情報及び前記データ情報をマッチングする位置基盤データ生成部と
を含み、
前記位置基盤データサービス装置は、
ユーザーが提供される地図情報上で検索を望む位置情報を選択する手段と、
選択された位置情報に対応するＳＯＩが選択され当該ＳＯＩ情報に対する検索が進められる手段と、
選択されたＳＯＩが最も下位のＳＯＩの場合、当該ＳＯＩ等にマッチングされる位置基盤データを抽出する手段と、
位置基盤データ情報を提供する手段と、
を含むことを特徴とする。
【０００９】
また、本発明は、位置基盤データの検索に必要なグラフィック情報を提供するＳＯＩグラフィック提供部と、
前記ＳＯＩグラフィック提供部から提供されるグラフィック情報を用いて空間地点（ＳＯＩ：Ｓｐａｃｅ  Ｏｆ  Ｉｎｔｅｒｅｓｔ）を単位に構造的に連結されたＳＯＩ情報を生成し、前記生成されたＳＯＩ情報と前記ＳＯＩ情報に相応するデータ情報とがマッチングされた位置基盤データを生成するＳＯＩ処理部と、
前記ＳＯＩ処理部で生成された位置基盤データを管理する位置基盤データ処理部と、
を含む位置基盤データサービス装置において、
前記ＳＯＩ処理部が、
空間地点を単位に垂直構造、水平構造及び層位構造のうち少なくとも１つの構造を有するようＳＯＩ情報を生成するステップと、
前記ＳＯＩ情報と前記ＳＯＩ情報に対応するデータ情報とをマッチングして位置基盤データを生成するステップと、
前記位置基盤データ処理部が、前記位置基盤データに含まれたＳＯＩ情報及びデータ情報を格納するステップと
を含み、
前記位置基盤データサービス装置が、
ユーザーが提供される地図情報上で検索を望む位置情報を選択するステップと、
選択された位置情報に対応するＳＯＩが選択され当該ＳＯＩ情報に対する検索が進められるステップと、
選択されたＳＯＩが最も下位のＳＯＩの場合、当該ＳＯＩ等にマッチングされる位置基盤データを抽出するステップと、
位置基盤データ情報を抽出するステップと。
を含むことを特徴とする。
【００１０】
また、本発明は、ＳＯＩ情報選択部が、ユーザーが入力したＳＯＩ選択情報又はデータ選択情報を受信するステップと、
ＳＯＩ情報検索部が前記ＳＯＩ選択情報、又はデータ選択情報に対応するＳＯＩ情報を検索するステップと、
位置基盤データ処理部が前記ＳＯＩ情報に伴う位置基盤データを抽出するステップと、
ＳＯＩグラフィック提供部が前記抽出した位置基盤データを前記ユーザーへ提供するステップと、
を含む位置基盤データサービス方法において、
前記ＳＯＩ情報検索部が、前記ＳＯＩ情報を検索するステップは、
空間地点を単位に垂直構造、水平構造及び層位構造のうち少なくとも１つの構造体で形成されたＳＯＩ情報のうち、前記ＳＯＩ選択情報、又はデータ選択情報に対応するＳＯＩ情報を検索し、
さらに、
ユーザーが提供される地図情報上で検索を望む位置情報を選択すステップと、
選択された位置情報に対応するＳＯＩが選択され当該ＳＯＩ情報に対する検索が進められるステップと、
選択されたＳＯＩが最も下位のＳＯＩの場合、当該ＳＯＩ等にマッチングされる位置基盤データを抽出するステップと、
位置基盤データ情報を抽出するステップと、
を含むことを特徴とする。    
【発明の効果】
【００１１】
本発明によれば、同一の空間に複数個の地点を別途管理する必要なく、ユーザー又は運用者が定義したＳＯＩを１つの代表管理単位で生成し、該ＳＯＩに該当する多様な形式の位置基盤データを構造的にマッチングさせることにより、位置基盤データを体系的に管理することができる。
また、本発明によれば、情報を得るため検索を望む空間対象と、利用者が実際に選択する空間、情報が管理される空間が全て一致し、利用者に多様な位置基盤データを速やかに時間内で正確に提供することができる。
さらに、本発明によれば、運用者は勿論、利用者が位置基盤データを空間構造で管理することができるインタフェースを提供して位置基盤データの活用性を高め、ＳＯＩ情報を累積管理してＳＯＩ情報が変更される場合も履歴追跡が可能である。
【図面の簡単な説明】
【００１２】
【図１】従来技術に係る位置基盤データサービスの一方法を示す図である。
【図２】従来技術に係る位置基盤データサービスの他の方法を示す図である。
【図３】本発明の一実施形態に係る位置基盤データサービス装置の構成を示す図である。
【図４】前記位置基盤データサービス装置のＳＯＩ情報生成部の具体的な構成を示す図である。
【図５】ＳＯＩ等が垂直構造を有するように生成された一実施形態を示す図である。
【図６】ＳＯＩ等が水平構造を有するように生成された一実施形態を示す図である。
【図７】ＳＯＩ等が層の構造を有するように生成された一実施形態を示す図である。
【図８】本発明の一実施形態に係る位置基盤データを生成する方法を示すフローチャートである。
【図９】本発明の他の実施形態に係る位置基盤データサービス方法を示すフローチャートである。
【図１０】本発明の実施形態に係る位置基盤データサービス方法を示す図である。
【発明を実施するための最良の形態】
【００１３】
以下、図を参照しながら本発明の実施形態について詳しく説明する。
図３は本発明の一実施形態に係る位置基盤データサービス装置の構成を示す図であり、図４は前記位置基盤データサービス装置の空間地点（ＳＯＩ：Ｓｐａｃｅ    Ｏｆ    Ｉｎｔｅｒｅｓｔ、以下「ＳＯＩ」と記す）情報生成部の具体的な構成を示す図である。
図３に示すように、位置基盤データサービス装置はＳＯＩ処理部１００、ＳＯＩグラフィック提供部２００、位置基盤データ処理部３００、ＳＯＩ情報格納部４００、データ格納部５００、ＳＯＩ情報選択部６００、ＳＯＩ情報検索部７００を含む。
【００１４】
ＳＯＩ処理部１００は、ＳＯＩ単位で位置基盤データを生成し、ＳＯＩ単位で位置基盤データを管理、処理する。より具体的に、ＳＯＩ処理部１００は位置情報、形状情報、ＳＯＩ識別子などの情報を含むＳＯＩ情報を生成するためのＳＯＩ情報生成部１１０、ＳＯＩ情報から位置情報、形状情報、識別子情報などを照合し、修正するためのＳＯＩ情報変更部１２０、データ情報などを収集するためのデータ収集部１３０、ＳＯＩ情報生成部１１０で生成されたＳＯＩ情報とデータを連結させ位置基盤データを生成するための位置基盤データ生成部１４０を含む。
【００１５】
以下、図４を参照してＳＯＩ情報生成部１１０の構成を具体的に説明する。ＳＯＩ情報生成部１１０は、地図上に位置情報、ＳＯＩ構造情報、ＳＯＩ組合せ情報などを生成するための位置情報生成部１１１、前記位置情報上に点、線、領域情報又は建物情報などの形状情報を生成するための形状情報生成部１１６、各ＳＯＩを区分するための識別子情報を生成し、付与するための識別子情報生成部１１７を含む。
ＳＯＩ情報生成部１１０はＳＯＩ単位で位置基盤データを管理し、位置情報、形状情報、ＳＯＩ識別子情報などを累積的に管理し、時間の変化に伴い位置情報、形状情報、ＳＯＩ識別子情報等が変更又は削除されても格納されるように管理する。
【００１６】
位置情報生成部１１１は位置情報を生成し、位置情報に対するＳＯＩ等を生成して管理する。さらに、位置情報生成部１１１はＳＯＩ等が構造を有するように生成される場合に構造情報を管理し、ＳＯＩ等の構造が組み合わせられる場合に組合せ情報を管理する。
位置情報生成部１１１は、１つのＳＯＩを生成、管理するための単位構造生成部１１２、複数のＳＯＩが１つのＳＯＩに含まれるようＳＯＩ等の垂直構造を生成、管理するための垂直構造生成部１１３、複数のＳＯＩが並列的に連結されるようＳＯＩ等の水平構造を生成、管理するための水平構造生成部１１４、１つのＳＯＩ内で複数のＳＯＩが層をなすようＳＯＩ等の層位構造を生成、管理するための層位構造生成部１１５を含む
【００１７】
垂直構造生成部１１３は、１つの位置情報内に少なくとも１つの他の位置情報等が含まれるよう、１つのＳＯＩ内に少なくとも１つの下位ＳＯＩが位置するようにＳＯＩ等を垂直構造で生成する。図５は、ＳＯＩ等が垂直構造を有するように生成された一実施形態を示した図であって、１つの領域Ａ内に建物１と建物２が含まれるようＳＯＩを生成することができる。領域Ａは上位ＳＯＩで生成され、建物１及び建物２は上位ＳＯＩの下位ＳＯＩでそれぞれ管理される。
水平構造生成部１１４は、複数のＳＯＩが階層なく水平に位置するようＳＯＩ等を水平構造で生成する。
【００１８】
図６は、ＳＯＩ等が水平構造を有するように生成された一実施形態を示した図であって、１つの領域Ａ、建物１及び建物２が互いに水平に連結されるようＳＯＩを生成することができる。領域Ａ、建物１及び建物２はそれぞれのＳＯＩで生成され、互いに連結されるように管理される。
層位構造生成部１１４は、１つの領域や建物内に複数の層を含むことができるよう、１つのＳＯＩ内に複数のＳＯＩが層をなすようにＳＯＩ等を生成、管理する。
【００１９】
図７は、ＳＯＩ等が層の構造を有するように生成された一実施形態を示した図であって、１つの建物１内に複数のＳＯＩが層をなすようにＳＯＩを生成することができる。建物１は上位ＳＯＩで生成され、各層は上位ＳＯＩの下位ＳＯＩで区分され、各ＳＯＩは別途管理される。
さらに、本発明の実施形態では垂直構造、水平構造及び層位構造が組み合わせられる空間構造でＳＯＩ等を生成、管理することができる。例えば、領域Ａ及び領域Ｂは水平構造でＳＯＩ等を生成し、領域Ａは建物１及び建物２を含み、領域Ｂは建物３及び建物４を含む垂直構造でＳＯＩ等を生成し、建物１〜建物４は複数の層を有するよう層位構造でＳＯＩ等を生成、管理することができる。
【００２０】
さらに、層位構造のうち１つの層で垂直構造及び水平構造を含むことができるよう組合せ構造で生成、管理することができる。
したがって、アパート団地、公団地域、観光地、道路などを１つのＳＯＩで生成し、その下位ＳＯＩ等を垂直構造、水平構造及び層位構造の組合せで生成して特定の空間を１つの単位で管理することができ、特定の空間に含まれる多数の位置基盤データをユーザーへ提供することができる特徴がある。
形状情報生成部１１６は、ＳＯＩグラフィック提供部を介し位置情報上に点、線、領域情報又は建物情報などの実質的なイメージである形状情報を生成し、形状情報をＳＯＩ単位で管理する。例えば、領域をＳＯＩ単位でイメージ化し、領域内に建物をＳＯＩ単位でイメージ化し、建物内の構成をＳＯＩ単位でイメージ化することができる。
【００２１】
識別子情報生成部１１７は、位置情報生成部１１２で各構造に従い生成されたＳＯＩに識別子情報を生成し、管理する。識別子情報生成部１１７は、１つのＳＯＩが生成されると、それに伴うＳＯＩ識別子符号を与えてＳＯＩ単位で情報を管理できるようにする。
さらに図３に示すように、ＳＯＩ情報変更部１２０は位置情報、形状情報、識別子情報などが変更される場合、当該情報をＳＯＩ情報生成部で照合して修正する。変更前の位置情報、形状情報、識別子情報などは累積管理される。したがって、位置情報、形状情報、ＳＯＩ識別子情報などを累積的に管理し、時間の変化に伴い位置情報、形状情報、ＳＯＩ識別子情報等が変更又は削除されても格納される。
【００２２】
データ収集部１３０は、運用者又はユーザーが作成したデータ情報を収集し、装置の外部に存在するデータのＵＲＬ情報等を収集して位置基盤データ生成部へ提供する。
位置基盤データ生成部１４０は、ＳＯＩ情報生成部１１０から提供されるＳＯＩと、データ収集部１３０から提供されるデータ情報とをマッチングし、ＳＯＩ単位で位置基盤データを生成する。したがって、データ情報に基づき当該位置基盤データを含んでいるＳＯＩへ接近することができ、ＳＯＩを介し当該ＳＯＩと連結されている位置基盤データへ接近することができる。位置基盤データは地域情報、建物情報、事業体情報、電話番号情報、案内情報、ＵＲＬ情報、ホームページ情報、個人情報、ＵＣＣなどの多様なデータを含む。
【００２３】
ＳＯＩグラフィック提供部２００は、ＳＯＩ処理部１００にグラフィック情報を提供し、ユーザーにユーザーの検索に必要な地図情報及び形状情報などに関連するグラフィックインタフェースを提供する。
位置基盤データ処理部３００は、ＳＯＩ処理部１００で生成された位置基盤データを管理する。位置基盤データ処理部３００は、位置基盤データに含まれたＳＯＩ情報及びデータ情報を統合して管理するか、ＳＯＩ情報及びＳＯＩ情報にマッチングされたデータ情報を別途管理することができる。
【００２４】
さらに、位置基盤データ管理部３００は、位置基盤データに含まれたＳＯＩ情報が変更される場合、変更履歴を管理しＳＯＩ情報が変更されても、該当する位置基盤データ等を継続的に管理する。そして、ＳＯＩ情報及びデータ情報を累積的に管理し、時間変動に伴う位置基盤データの変更内容も確認できるように管理する。また、ＳＯＩ検索部の要請により位置基盤データに含まれたＳＯＩ情報及びＳＯＩ情報にマッチングされたデータ情報を抽出して提供する。
【００２５】
ＳＯＩ情報格納部４００は、ＳＯＩ処理部で生成され、当該データにマッチングされたＳＯＩ情報を格納する。ＳＯＩ情報格納部４００は、ＳＯＩ構造に応じて構造別に格納し、ＳＯＩ検索部の要請に従い当該ＳＯＩ情報を提供する。さらに、ＳＯＩ情報格納部４００は、変更されるＳＯＩ情報を累積的に格納して管理する。
データ格納部５００は、構造に応じてＳＯＩ情報にマッチングされたデータ情報を格納する。データは、ユーザー及び運用者が生成した情報であってもよく、装置外に位置する外部データ情報であってもよい。データが外部に位置するデータの場合、当該データが位置するＵＲＬ情報であってもよい。
【００２６】
ＳＯＩ選択部６００は、ユーザーの位置基盤データ検索のため、ＳＯＩ基盤のユーザーインタフェースを提供する。したがって、ユーザーは、ＳＯＩグラフィック提供部で提供するグラフィック情報に基づいてＳＯＩ情報又はデータ情報に対する選択ウィンドーをユーザーに提供し、ユーザーが選択ウィンドーで検索を望むＳＯＩ情報又はデータ情報を選択すれば、当該ＳＯＩ情報又はデータ情報をＳＯＩ検索部７００に提供する。
ＳＯＩ検索部７００は、ＳＯＩ選択部６００を介し選択されたＳＯＩ情報又はデータ情報に対する抽出を位置基盤データ処理部３００に要請する。ＳＯＩ検索部は、ＳＯＩ格納部４００又はデータ格納部５００内に位置基盤データ情報が含まれるように設計される場合は、ＳＯＩ格納部４００及びデータ格納部５００に選択されたＳＯＩ情報及びデータ情報を直接要請することができる。
【００２７】
本発明の実施形態では、運用者は勿論、ユーザーが直接ＳＯＩ情報を生成し、それに連結されるデータ情報を生成できるように設計される。例えば、ユーザーは地図情報上に形状情報を生成し、形状情報に従いＳＯＩ構造を立体的に生成し、ＳＯＩに係るデータを生成して位置基盤データを直接生成することができる特徴がある。
【００２８】
図８は、本発明の一実施形態に係る位置基盤データを生成する方法を示すフローチャートである。以下、図８を参照して、本発明に係る位置基盤データの生成方法を説明する。
図８に示すように、先ず、位置情報及び形状情報を生成する（Ｓ８０２、Ｓ８０４）。位置情報は、１つのＳＯＩに係る空間の位置情報であってもよく、１つのＳＯＩに含まれる下位ＳＯＩの位置情報であってもよい。下位ＳＯＩ情報は水平的構造、垂直的構造、層位的構造などで生成される情報であってもよい。形状情報は、位置情報に対応するグラフィックに具現される点、線、領域や建物などの形状に関する情報であってもよい。
【００２９】
位置情報及び形状情報の生成順は別に定義されず、実質的に位置情報及び形状情報の生成が必要な場合は、順に係わりなく生成される。例えば、地図情報上に１つのＳＯＩを生成し、それに係る形状情報を生成することができる。その反面、１つのＳＯＩ内に生成された形状内に点、線、領域又は建物などの形状情報を先ず生成し、その形状情報に対応するよう下位ＳＯＩを生成することも可能である。
次いで、位置情報及び形状情報に対応するＳＯＩ識別子情報を生成し（Ｓ８０６）、ＳＯＩ情報及びデータ情報をマッチングして位置基盤データを生成する（Ｓ８０８）。したがって、１つの空間を占める位置情報上で多様な構造で連結された位置基盤データを提供することができる。
生成された位置基盤データはＳＯＩ情報及びデータ情報に分離して格納し、管理する（８１０）。
【００３０】
図９は本発明の他の実施形態に係る位置基盤データサービス方法を示すフローチャートであり、図１０は本発明の他の実施形態に係る位置基盤データサービス方法を具体的に示す図である。
次に、図９及び図１０を参照して、本発明に係る位置基盤データサービス方法を説明する。
先ず、図９に示すように、ユーザーが提供される地図情報上で検索を望む位置情報を選択すれば（Ｓ９０２）、選択された位置情報に対応するＳＯＩが選択され当該ＳＯＩ情報に対する検索が進められる（Ｓ９０４）。一方、本発明の実施形態では、位置基盤データを介しＳＯＩ情報に接近することも可能である。したがって、ユーザーがＳＯＩに連結されたデータを直接選択する場合、前記データに連結された上位又は下位ＳＯＩ情報を検索することも可能である（Ｓ９０４）。当該ＳＯＩの下位ＳＯＩ等が存在する場合は、引続きＳＯＩ情報を検索してユーザーに提供される。
【００３１】
選択されたＳＯＩが最も下位のＳＯＩの場合、当該ＳＯＩ等にマッチングされる位置基盤データを抽出し（Ｓ９０６）、抽出した位置基盤データ情報を提供する（Ｓ９０８）。位置基盤データは、ＳＯＩ情報及びデータ情報を含む。
図１０に示すように、空間に関する特定位置情報（昌慶宮）を選択すれば、選択した位置情報内に構造的に連結される下位ＳＯＩに対するＳＯＩ情報（昌慶宮内八角七層石塔、昌慶宮、昌慶宮風旗臺など）等が提供され、再度下位ＳＯＩ内に構造的に連結された下位ＳＯＩ等に連結され、最も下位に連結されたＳＯＩ等まで順次提供され（百科事典、ニュース、コミュニティなど）、最も下位のＳＯＩ等が提供された場合は、最も下位のＳＯＩ等にマッチングされる位置基盤データが提供される。
【産業上の利用可能性】
【００３２】
前述の位置基盤データ生成方法及び位置基盤データサービス方法は、多様なコンピューター手段を介し行われるプログラム命令の形態に具現され、コンピューターで読出し可能な記録媒体に書き込まれる。この際、コンピューターで読出し可能な記録媒体はプログラム命令、データファイル、データ構造などを単独に又は組み合わせて含むことができる。一方、記録媒体に書き込まれるプログラム命令は、本発明のため特に設計され構成されたものらであるか、コンピューターソフトウェア当業者に公知で使用可能なものである。
【００３３】
コンピューターで読出し可能な記録媒体にはハードディスク、フロッピー（登録商標）ディスク及び磁気テープのような磁気媒体（Ｍａｇｎｅｔｉｃ  Ｍｅｄｉａ）、ＣＤ−ＲＯＭ、ＤＶＤのような光記録媒体（Ｏｐｔｉｃａｌ  Ｍｅｄｉａ）、フロプティカルディスク（Ｆｌｏｐｔｉｃａｌ  Ｄｉｓｋ）のような磁気−光媒体（Ｍａｇｎｅｔｏ−Ｏｐｔｉｃａｌ  Ｍｅｄｉａ）、及びＲＯＭ（Ｒｅａｄ  Ｏｎｌｙ  Ｍｅｍｏｒｙ）、ＲＡＭ、フラッシュメモリなどのような、プログラム命令を格納して行うように特に構成されたハードウェア装置が含まれる。一方、このような記録媒体は、プログラム命令、データ構造などを指定する信号を伝送する搬送波を含む光又は金属線、導波管などの伝送媒体でもよい。
さらに、プログラム命令には、コンパイラにより作られるもののような機械語コードだけでなく、インタプリタなどを用いてコンピューターにより実行され得る高級言語コードを含む。前述のハードウェア装置は、本発明の動作を行うため、１つ以上のソフトウェアモジュールとして作動するように構成可能であり、その逆も同様である。
【００３４】
本発明の属する技術分野の当業者は、前述の本発明が、その技術的思想や必須の特徴を変更せず、他の具体的な形態に実施され得ることを理解することができるはずである。
したがって、以上記述した実施形態等は、全ての面で例示的なものであって限定的なものではないものと理解しなければならない。本発明の範囲は、前記詳細な説明よりは特許請求の範囲により表され、特許請求の範囲の意味及び範囲、そしてその等価概念から導き出される全ての変更又は変更された形態が本発明の範囲に含まれるものと解釈されなければならない。  
【図１】
0005841934.tif 000002
【図２】
0005841934.tif 000003
【図３】
0005841934.tif 000004
【図４】
0005841934.tif 000005
【図５】
0005841934.tif 000006
【図６】
0005841934.tif 000007
【図７】
0005841934.tif 000008
【図８】
0005841934.tif 000009
【図９】
0005841934.tif 000010
【図１０】
0005841934.tif 000011